(57)【要約】      （修正有）【課題】給紙カセットに対する記録媒体のセット操作を簡単な構造で容易かつ正確に行うことを可能とする。【解決手段】記録媒体Ｐを積層状に収容する給紙カセット２に、内部に積層された記録媒体Ｐの給紙方向下流側の積層前端面Ｐ１に対して進退可能に前端整列部材２４を設け、その前端整列部材２４を記録媒体Ｐの積層前端面Ｐ１に当接させることによって記録媒体Ｐの積層前端面Ｐ１を適宜のセット位置に揃うように整列させ、整列させた後の記録媒体Ｐの積層前端面Ｐ１と給紙カセット２の前端側内壁面との間に適宜の給紙空間Ｓを形成するように位置決めを行うことによって良好な給紙動作を維持するように構成したもの。【選択図】図５
2008156056.tif 000002
【特許請求の範囲】
【請求項１】
複数枚の記録媒体を積層状に収容する給紙カセットが装置本体に対して着脱可能に構成されているとともに、
前記給紙カセットの長手方向一端側から前方に向かう給紙方向に前記記録媒体の給紙が行われるように構成された給紙装置において、
前記給紙カセットには、前記記録媒体の前記給紙方向前方側の積層前端面に対して進退可能となるように前端整列部材が設けられ、当該前端整列部材が前記記録媒体の積層前端面に当接することによって前記記録媒体の積層前端面が適宜の給紙位置に揃うように整列が行われる構成になされていることを特徴とする給紙装置。
【請求項２】
前記前端整列部材は、前記記録媒体の積層前端面に圧接して整列させる押圧位置と、その整列された前記記録媒体の積層前端面から離間した退避位置との間で往復移動可能となるように設けられているとともに、
前記押圧位置から前記退避位置に向かって前記前端整列部材を付勢する付勢手段が設けられていることを特徴とする請求項１記載の給紙装置。
【請求項３】
前記前端整列部材は、前記給紙カセットに設けられた操作把持部と一体的に設けられ、当該前端整列部材が前記操作把持部とともに給紙方向に沿って往復移動可能となるように構成されていることを特徴とする請求項２記載の給紙装置。
【請求項４】
前記前端整列部材は、前記操作把持部を介して前記給紙カセットが前記装置本体内に装着されるときに前記操作把持部とともに前記給紙方向の後方側に移動して前記押圧位置に位置される一方、前記給紙カセットが前記装置本体内に装着された後に前記操作把持部とともに前記給紙方向の前方側に移動して前記退避位置に位置されるように構成されていることを特徴とする請求項３記載の給紙装置。
【請求項５】
請求項１乃至請求項４のいずれかに記載された給紙装置が記録材紙搬送経路の一部を構成するように配置されていることを特徴とする画像形成装置。
【発明の詳細な説明】
【技術分野】
【０００１】
本発明は、記録媒体を収容して給紙を行う給紙カセットを備えた給紙装置及び画像形成装置に関する。
【背景技術】
【０００２】
一般に、プリンタ、複写機、ファクシミリなどの画像形成装置等において、複数枚の記録媒体を積層状に収容して給紙を行う給紙カセットを用いた給紙装置が広く採用されている。給紙カセットは、例えば上面開放箱構造をなすように形成されており、当該給紙カセット内に複数枚の記録媒体が収容された場合には、その記録媒体の積層端面が位置規制されて当該記録媒体の整列が行われるようになっている。
【０００３】
より具体的には、給紙カセットのカセット底面や記録媒体を載置する支持底板上に、内部に収容された記録媒体のサイズに合せて紙幅方向（給紙方向と直交する方向）に往復移動するように設けられた一対の左右端整列部材を、記録媒体の紙幅方向の両端面に突き当てるようにして当接させることにより記録媒体を紙幅方向に整列させるとともに、記録媒体の紙長さ方向（給紙方向）の後方側（給紙方向下流側）端面に対して後端整列部材を突き当てるようにして当接させることにより記録媒体を紙長さ方向に整列させて、記録媒体の全体を正規の位置にセットするようにしている。
【０００４】
ところで、転写紙等の各種記録媒体には、下記の特許文献１等において指摘がなされているように、規定サイズのものであっても裁断時の公差などから幅寸法及び長さ寸法の双方にバラツキが発生している。そのため従来においては、上述した左右両端整列部材にスポンジ材や金属等の弾性体を設置するなどの手段が採用されているとともに、下記の特許文献２においては、左右両端整列部材及び後端整列部材に摘み体を設置しておき、その摘み体にスペーサー部材を付設することによって記録媒体との間に適宜のスペースを確保するようにしたものが提案されている。
【特許文献１】特開昭５９−２２７６３６号公報
【特許文献２】特開２００１−２５３５５２号公報
【０００５】
上述したように従来から、記録媒体のセット位置を積極的に保証する手段として、記録媒体を紙幅方向に整列させる左右端整列部材、及び記録媒体の後方端面（給紙方向上流端面）を紙長さ方向に整列させる後端整列部材が設けられているが、近年の装置の小型化や給紙容量の増大化に伴って小型化された給紙カセット内に多量の記録媒体を一度にセットする傾向が生じている。そして、その場合には、給紙カセットの内壁面と記録媒体の端面との間のスペースが狭小化されることから、ユーザーが注意深く記録媒体の後端面に後端整列部材を突き当てながらセット操作を行った場合であっても、上述した記録媒体の寸法のバラツキ等から記録媒体の端面が整列されない場合がある。
【０００６】
特に、記録媒体の給紙方向における前方側端面（給紙方向下流側端面）が揃わない状態が発生すると、例えば図１０に示されているように、給紙カセット２内の記録媒体Ｐを送り出す給紙動作の過程において給紙方向の積層前端面Ｐ１が給紙カセット２の内壁部に接触して給紙動作が停止されてしまったり、積層された記録媒体Ｐの最上面Ｐ２が給紙可能な位置、例えば給紙ローラ３に接触する位置まで上昇しなくなって給紙不良が発生するなどのおそれがある。
【０００７】
このような給紙動作の停止や給紙不良が発生すると、ユーザーは、給紙カセットから記録媒体の束全体を外部に取り出して再セットを行わなければならず、そのときの再セット時に、特に記録媒体の紙長さ方向前方側（給紙方向下流側）の前端面が、給紙カセットの内壁面との間に適宜の空間を確保するように、厳密な位置合せを行う必要があり、そのために多大な手間をユーザーに要求することがある。
【発明の開示】
【発明が解決しようとする課題】
【０００８】
そこで本発明は、上述した従来技術の問題点を解決し、給紙カセットに対する記録媒体のセット操作を簡単な構造で容易かつ正確に行うことができるようにした給紙装置及び画像形成装置を提供することを目的とする。
【課題を解決するための手段】
【０００９】
上記目的を達成するため本発明では、複数枚の記録媒体を積層状に収容する給紙カセットが装置本体に対して着脱可能に構成されているとともに、前記給紙カセットの長手方向一端側から前方に向かう給紙方向に前記記録媒体の給紙が行われるように構成された給紙装置において、前記給紙カセットには、前記記録媒体の前記給紙方向前方側の積層前端面に対して進退可能となるように前端整列部材が設けられ、当該前端整列部材が前記記録媒体の積層前端面に当接することによって前記記録媒体の積層前端面が適宜の給紙位置に揃うように整列が行われる構成になされている。
【００１０】
このような構成からなる本願発明によれば、給紙カセット内に積層された記録媒体の積層前端面が、前端整列部材の簡易な押圧作用によって本来の給紙位置に揃うように整列され、整列された後の記録媒体の積層前端面が、給紙カセットの前端側内壁面に対して適宜の給紙空間を形成するように位置決めされることとなって良好な給紙動作が維持されるようになっている。
【００１１】
このとき、本願発明における前記前端整列部材は、前記記録媒体の積層前端面に圧接して整列させる押圧位置と、その整列された前記記録媒体の積層前端面から離間した退避位置との間で往復移動可能となるように設けられているとともに、前記押圧位置から前記退避位置に向かって前記前端整列部材を付勢する付勢手段が設けられる。
【００１２】
このような構成からなる本願発明によれば、記録媒体の積層前端面が整列された後に前端整列部材が付勢手段の押圧力によって退避位置に維持されることとなり、それによって記録媒体の積層前端面と給紙カセットの内壁面との間に給紙動作に必要な給紙空間が形成された状態が維持されるようになっている。
【００１３】
このとき、本願発明における前端整列部材は、前記給紙カセットに設けられた操作把持部と一体的に設けられ、当該前端整列部材が前記操作把持部とともに給紙方向に沿って往復移動可能となるように構成される。そして、前端整列部材は、前記操作把持部を介して前記給紙カセットが前記装置本体内に装着されるときに前記操作把持部とともに前記給紙方向の後方側に移動して前記押圧位置に位置される一方、前記給紙カセットが前記装置本体内に装着された後に前記操作把持部とともに前記給紙方向の前方側に移動して前記退避位置に位置されるように構成される。
【００１４】
このような構成からなる本願発明によれば、給紙カセットの操作把持部を把持してユーザーが給紙カセットを装置本体内に装着する際における給紙カセットの押し込み動作と同時に前端整列部材が記録媒体の積層前端面に当接し、それによって記録媒体の積層前端面の整列が行われ、その後にユーザーが操作把持部から手を離して給紙カセットに対する操作を終了すると、前端整列部材が付勢手段の押圧力によって退避位置に維持されるようになっている。
【００１５】
このとき、本発明に係る画像形成装置では、上述したいずれかの構成の給紙装置が記録材紙搬送経路の一部を構成するように配置されている。このような構成を有する画像形成装置によれば、上述した給紙装置と同様な作用が得られる。
【発明の効果】
【００１６】
以上述べたように本発明は、記録媒体を積層状に収容する給紙カセットに、内部に積層された記録媒体の給紙方向下流側の積層前端面に対して進退可能に前端整列部材を設け、その前端整列部材を記録媒体の積層前端面に当接させることによって記録媒体の積層前端面が適宜の給紙位置に揃えられるように整列を行い、整列させた後の記録媒体の積層前端面と給紙カセットの前端側内壁面との間に適宜の給紙空間を形成するように位置決めを行うことによって良好な給紙動作を維持するように構成したものであるから、給紙カセットに対する記録媒体のセット操作を簡単な構造で容易かつ正確に行うことができ、給紙装置及び画像形成装置の信頼性を簡易な構成で大幅に向上させることができる。
【発明を実施するための最良の形態】
【００１７】
以下、画像形成装置としてプリンタに本発明を適用した場合の一実施形態を図面に基づいて詳細に説明する。
【００１８】
図１及び図２に示されているように、プリンタに関する全体の概略構造及び画像形成動作を予め説明しておくと、まず装置本体１の最下部には給紙装置の主体を構成する給紙カセット２が着脱可能に配置されている。その給紙カセット２内には、複数枚の転写紙（記録媒体）Ｐが積層状をなすようにして収容され、当該積層状をなす転写紙Ｐの最上面Ｐ２に接触するように配置された給紙ローラ３の回転駆動によって転写紙Ｐが１枚ずつ分離されながら記録媒体搬送路４内に送り出されていく構成になされている。このとき上記給紙カセット２は、転写紙Ｐの給紙方向（図２の右方向）にほぼ沿うようにして装置本体１から引き出され、又はその逆方向に押し込まれることにより装置本体１に装着されるようになっている。この給紙カセット２の構造は、本発明の要部であるので後段において詳述することとする。
【００１９】
上述した給紙カセット２から記録媒体搬送路４内に送り出された転写紙（記録媒体）Ｐは、記録媒体搬送路４に配置されたレジストローラ５のニップ部に先端縁が突き当てられることにより斜行補正されて記録媒体搬送路４に沿った姿勢で以後の搬送が行われる。このようなレジストローラ５による斜行補正が行われた後の転写紙Ｐは、静電記録方式を採用した画像形成部６に送り込まれ、そこで上記転写紙Ｐの表面上にトナー像が転写されて所望の画像を形成され、その後、定着部７内に搬送されて上記トナー像の永久定着が行われるようになっている。定着部７による定着処理が行われた後の転写紙Ｐは、装置最上部に配置された用紙トレイ８上に排出される。
【００２０】
次に、給紙装置の主体を構成している給紙カセット２の構造を詳細に説明する。
給紙装置としての給紙カセット２は、上述したように転写紙（記録媒体）Ｐの給紙方向（図２の右方向）に沿って引き出され、又はその逆方向に押し込まれるようにして装置本体１に対して着脱される構成になされているが、図３にも示されているように、その給紙カセット２の給紙方向の前端面（図３の右端面）に配置された操作把持部２１にユーザが手を掛けて操作することによって、当該給紙カセット２の全体が給紙方向に沿って往復移動されるようになっている。
【００２１】
給紙カセット２は、従来技術の欄においても説明したように、例えば上面開放箱構造をなすように構成されており、当該給紙カセット２の内部側の底面には、薄板状の金属部材からなる支持底板２２が配置され、その支持底板２２上に記録媒体としての転写紙Ｐが複数枚にわたって積層状をなすように載置される。上記支持底板２２は、給紙方向の後端側部分に配置された回動支点２２ａを中心にして給紙方向の前端側部分（図２右端部分）が上下方向に揺動するように取り付けられているとともに、その支持底板２２の下面側に配置されたコイルバネ２２ｂの押し上げ力によって跳ね上げられるように付勢されており、当該支持底板２２上に積層状に配置された転写紙（記録媒体）Ｐの最上面Ｐ２が、上述した給紙ローラ３の下面側に押し付けられるようになっている。
【００２２】
このような給紙カセット２には、上述した支持底板２２上の転写紙（記録媒体）Ｐのセット位置を積極的に保証する手段が設けられている。すなわち、まず上記支持底板２２の紙幅方向（給紙方向と直交する方向）の両側には、同方向に沿って往復移動する周知の左右端整列部材（図示省略）が一対配置されている。そして、それら一対の左右端整列部材を規定の位置にそれぞれ移動させて、上述した支持底板２２上の転写紙（記録媒体）Ｐの紙幅方向両側の積層端面にそれぞれ突き当てるように当接させることにより、上記転写紙Ｐの紙幅方向両側の積層端面が紙幅方向における規定の位置に整列させられるようになっている。
【００２３】
さらに、上述した支持底板２２の紙長さ方向の後方側（給紙方向の上流側）には、同方向に沿って往復移動するように設けられた周知の後端整列部材２３が配置されている。そして、その後端整列部材２３を規定の位置まで移動させて、上記支持底板２２上の転写紙（記録媒体）Ｐの紙長さ方向後端側の積層端面に突き当てるように当接させることによって、上記転写紙Ｐの紙長さ方向後端側の積層端面が紙長さ方向における規定の位置に整列させられるようになっている。
【００２４】
ところが、このような転写紙（記録媒体）Ｐの紙幅方向両側端面を整列させる左右端整列部材や、転写紙Ｐの後方側端面を整列させる後端整列部材２３が設けられていても、転写紙Ｐの寸法のバラツキ等から、給紙動作を実行する上で最も重要な転写紙Ｐの給紙方向前端面の位置にバラツキを生じて給紙不良が発生するおそれがある。そこで、本実施形態では、図４乃至図６に示されているように、上述した給紙カセット２の内部に積層された転写紙Ｐの紙長さ方向の前方側（給紙方向の下流側）の積層端面（以下、積層前端面という。）Ｐ１を整列させるための前端整列部材２４が設けられている。
【００２５】
この前端整列部材２４は、上記給紙カセット２の給紙方向前方側（下流側）の前端内壁面２２ｃの内面側に対面するように配置された板状部材からなり、上述した支持底板２２上に載置された転写紙Ｐの積層前端面Ｐ１に対して前方側（給紙方向の下流側）から進退可能となるように配置されている。そして、その前端整列部材２４が、前記転写紙Ｐの積層前端面Ｐ１に当接するように移動させられることによって上記転写紙Ｐの積層前端面Ｐ１が適宜のセット位置まで押し込められて整列が行われ、その結果、特に給紙動作を実行する上で最も重要な位置である転写紙Ｐの積層前端面Ｐ１の位置が正確に位置決めされるようになっている。
【００２６】
このような前端整列部材２４による転写紙Ｐの積層前端面Ｐ１の整列操作は、上述した操作把持部２１に対するユーザ操作とともに行われる。すなわち、上記前端整列部材２４は、操作把持部２１と一体的に連結された構成になされており、その操作把持部２１に対するユーザ操作、つまり給紙カセット２全体の着脱操作とともに当該前端整列部材２４が前記転写紙Ｐの紙長さ方向（給紙方向）に沿って往復移動される構成になされている。そして、その前端整列部材２４が、転写紙Ｐの積層前端面Ｐ１に圧接して整列させる押圧位置（図６参照）と、その整列された前記転写紙Ｐの積層前端面Ｐ１から離間した退避位置（図５参照）との間で往復移動されるように配置されている。
【００２７】
また、このような前端整列部材２４の裏側壁面（図５の右壁面）は、上述した給紙カセット２の前端内壁面２２ｃと対面するように配置されているが、それら両壁面どうしの間には付勢手段としてのコイルバネ２５が装着されている。この付勢手段としてのコイルバネ２５は、引っ張り状態にて装着されており、当該コイルバネ２５の引っ張り付勢力によって、上述した前端整列部材２４が退避位置（図６参照）に向かって押圧されるようになっている。
【００２８】
すなわち、上述した操作把持部２１に対するユーザの押し込み操作によって給紙カセット２が装置本体１内に装着されるときには、その操作把持部２１とともに前端整列部材２４が給紙方向の後方側に移動され、図６に示された押圧位置まで移動されることによって転写紙（記録媒体）Ｐの積層前端面Ｐ１の整列が行われる。また、給紙カセット２が装置本体１内に装着された後にユーザーが操作把持部２１から手を離した時点で、上述したコイルバネ２５の引っ張り付勢力によって前端整列部材２４は、操作把持部２１とともに給紙方向の前方側に移動して図５に示された退避位置に戻される。そして、その状態においては、上述したように整列された転写紙Ｐの積層前端面Ｐ１と、給紙カセット２の前端内壁面２２ｃとの間に、給紙動作に必要な適宜の給紙空間Ｓが形成される。
【００２９】
このように本実施形態によれば、給紙カセット２内に積層された記録媒体としての転写紙Ｐの積層前端面Ｐ１が前端整列部材２４の押圧作用によって本来の給紙位置に揃えられるようにして整列され、転写紙Ｐの積層前端面Ｐ１が整列された後に前端整列部材２４が付勢手段としてのコイルバネ２５の押圧力によって退避位置に維持され、それによって転写紙Ｐの積層前端面Ｐ１と給紙カセット２の前端内壁面２２ｃとの間に給紙動作に必要な給紙空間Ｓが形成され、その給紙空間Ｓが維持されることにより良好な給紙動作が実行されるようになっている。
【００３０】
特に本実施形態においては、給紙カセット２の操作把持部２１を把持してユーザーが給紙カセット２を装置本体１内に装着する際、その給紙カセット２の押し込み操作と同時に前端整列部材２４が転写紙（記録媒体）Ｐの積層前端面Ｐ１に当接して転写紙Ｐの積層前端面Ｐ１の整列が行われるとともに、その後にユーザーが操作把持部２１から手を離して給紙カセット２に対する操作を終了すると、前端整列部材２４がコイルバネ２５の押圧力によって退避位置に維持されて、上述した給紙空間Ｓが良好に維持されるようになっている。
【００３１】
一方、図７及び図８に表された本発明の他の実施形態は、給紙カセット３２内に積層される転写紙（記録媒体）の紙サイズ、例えばＬＴＲ、Ａ４、ＬＧＬの各サイズの相違に対応したものであって、板状部材からなる前端整列部材３４が給紙カセット３２の内部において紙長さ方向（給紙方向）において移動可能に設けられており、上記転写紙の紙サイズに対応して移動されるようになっている。また、その前端整列部材３４にはフック状をなす固定部材３４ａが回動可能に取り付けられているとともに、給紙カセット３２側には、その固定部材３４ａが上記転写紙の紙サイズに対応した位置に係合される係止溝３２ａが切欠き形成されている。
【００３２】
また、前端整列部材３４と給紙カセット３２の前端内壁面との間には付勢手段としてのコイルバネ３５が装着されており、コイルバネ３５の引っ張り付勢力によって前端整列部材３４が退避位置に向かって押圧される構成になされている。なお、本実施形態においては、上記給紙カセット３２内にセットされる転写紙の裁断公差が約１〜２ｍｍであることを考慮して、例えばセットされる転写紙がＡ４サイズの場合には、そのＡ４サイズに対応した位置に固定された後端整列部材３３から前端整列部材３４までの距離を２９８ｍｍから２９９ｍｍ程度の位置で上述した固定部材３４ａにより前端整列部材３４の固定が行われる。これについてはＬＴＲ、ＬＧＬの各サイズの転写紙に対しても同様である。このような構成とすれば、給紙カセット３２内の転写紙セット空間が、セットされる転写紙のサイズとほぼ同一になるため、大量の転写紙を一括して積層させるときに転写紙の給紙方向におけるズレをほとんど生じさせることなく転写紙のセットが可能となる。
【００３３】
一方、このような実施形態においては、例えば図９に示されているように、給紙カセット３２が装着される装置本体に上記給紙カセット３２に向かって係合突起３６が突出するように設けられており、給紙カセット３２が装置本体に装着された際に、上述した固定部材３４ａが装置本体の係合突起３６に接触して上方に跳ね上げられて解除状態となり、それによって前端整列部材３４がコイルスプリング３５の引っ張り付勢力により退避位置まで戻される。その結果、上述したように整列された転写紙Ｐの積層前端面Ｐ１と、給紙カセット３２の前端内壁面３２ｃとの間に、給紙動作に必要な適宜の給紙空間Ｓが形成される。
【００３４】
以上、本発明者によってなされた発明の実施形態を具体的に説明したが、本発明は上記実施形態に限定されるものではなく、その要旨を逸脱しない範囲で種々変形可能であることはいうまでもない。
【００３５】
例えば前端整列部材は、給紙カセット内にセットされた記録媒体の積層前端面の少なくとも一部を押圧すればよく、整列を行うに必要な最低限度の部位に接触すればよいことから必ずしも積層前端面の全域を押圧する必要はなく、前端整列部材の大きさは適宜に選択することができる。
【００３６】
また、その前端整列部材に対する付勢手段はコイルスプリングに限定されるものではなく、例えば板バネ材等の弾性部材を採用することが可能である。さらに、前端整列部材は樹脂材の他に、例えば薄厚の金属材料などのような多種多様な材質を採用することができる。
【００３７】
さらに、上述した各実施形態は、プリンタに対して本発明を適用したものであるが、複写機等の他の画像形成装置やその他の装置に対しても本発明は同様に適用することができるものである。
【産業上の利用可能性】
【００３８】
以上述べたように本発明にかかる給紙装置は、プリンタや複写機などの画像形成装置を始めとして、多種多様な装置に対して広く適用することが可能である。
【図面の簡単な説明】
【００３９】
【図１】本発明を適用するプリンタの概略構成を示す縦断面説明図である。
【図２】図１に表されたプリンタの内部構造を概略的に表した縦断面説明図である。
【図３】本発明の一実施形態における給紙カセットの構造を表した縦断面説明図である。
【図４】図３に表された本発明の一実施形態における給紙カセットに対する記録媒体の初期セット状態を示した縦断面説明図である。
【図５】図４に表された給紙カセットを装置本体内に装着した直後の状態を示した縦断面説明図である。
【図６】図４及び図５に表された給紙カセットの装着を完了した状態を示した縦断面説明図である。
【図７】本発明の他の実施形態における給紙カセットの構造を表した側面説明図である。
【図８】図７に表された給紙カセットの要部構造を表した部分拡大側面説明図である。
【図９】図７に表された給紙カセットを装置本体内に装着した直後の状態を示した部分拡大側面説明図である。
【図１０】一般の給紙カセットの構造を表した縦断面説明図である。
【符号の説明】
【００４０】
１  装置本体
２  給紙カセット（給紙装置）
３  給紙ローラ
４  記録媒体搬送路
５  レジストローラ
６  画像形成部
７  定着部
８  用紙トレイ
Ｐ  転写紙（記録媒体）
Ｐ１  転写紙積層前端面
Ｐ２  転写紙最上面
２１  操作把持部
２２  支持底板
２３  後端整列部材
２４  前端整列部材
２５  コイルバネ（付勢手段）
２２ａ  回動支点
２２ｂ  コイルバネ
２２ｃ  給紙カセット前端内壁面
Ｓ  給紙空間
３２  給紙カセット
３４  前端整列部材
３５  コイルバネ（付勢手段）
３６  係合突起
３２ａ  係止溝
３２ｃ  給紙カセット前端内壁面
３４ａ  固定部材
【図１】
2008156056.tif 000003
【図２】
2008156056.tif 000004
【図３】
2008156056.tif 000005
【図４】
2008156056.tif 000006
【図５】
2008156056.tif 000007
【図６】
2008156056.tif 000008
【図７】
2008156056.tif 000009
【図８】
2008156056.tif 000010
【図９】
2008156056.tif 000011
【図１０】
2008156056.tif 000012